(57)【要約】【課題】シンプルな形状で外観が良好であり、アクセサリーとしての汎用性に優れ、高い装飾機能を発揮する装飾品を提供する。【解決手段】装飾品１０は、第１装飾材である半球状の真珠１と、第１装飾材である真珠１と材質の異なる第２装飾材である半球状の水晶２と、第２装飾材（水晶２）と材質の異なる第３装飾材である円板材３と、を備え、外形が円球状をなしている。真珠１と水晶２とは、それぞれの円形状の平面部同士を対向させた状態に配置され、二つの平面部の間に１８金製の円板材３を挟持している。【選択図】図１
2019037743.tif 000002
【特許請求の範囲】
【請求項１】
半球状若しくは半多面体状の第１装飾材及び第２装飾材と、前記第１装飾材の平面部と前記第２装飾材の平面部とを対向させた状態で接合（若しくは連結）する接合手段（若しくは連結手段）と、を備えた装飾品。
【請求項２】
半球状若しくは半多面体状の第１装飾材及び第２装飾材と、前記第１装飾材の平面部と前記第２装飾材の平面部とを隙間を置いて対向させた状態で着脱可能に接合（若しくは連結）する接合手段（若しくは連結手段）と、を備えた装飾品。
【請求項３】
前記第１装飾材の平面部と前記第２装飾材の平面部との間に、前記第１装飾材・前記第２装飾材の少なくとも一方と材質の異なる第３装飾材を介在させた請求項１または２記載の装飾品。
【請求項４】
前記第３装飾材が、金、金を含む合金、銀、銀を含む合金、白金、白金を含む合金、パラジウム、パラジウムを含む合金、プラチナ族に属する白色金属のうちの１以上を含むものである請求項３記載の装飾品。
【請求項５】
前記第１装飾材・前記第２装飾材の少なくとも一方が、真珠若しくは模造された人工真珠である請求項１〜４の何れかの項に記載の装飾品。
【請求項６】
前記真珠が、アコヤガイ、シロチョウガイ、クロチョウガイ、マベ、イケチョウガイ、アワビ、コンク貝、その他真珠質、稜柱質などの炭酸カルシウムを分泌する貝類から得られる真珠のうちの１以上である請求項５記載の装飾品。
【請求項７】
前記第１装飾材・前記第２装飾材の少なくとも一方が、水晶、珊瑚、ルビー、サファイヤ、ガーネット、スピネル、アメジスト、エメラルド、アクアマリン、ダイヤモンド、ムーンストーン、ペリドット、オパール、トパーズ、トルコ石、ヒスイ、タンザナイト、カイアナイト、アレキサンドライト、キャッツアイ、クリソベリル、モルガナイト、ヘリオドール、レッドベリル、トルマリン、ツアボライト、アイオライト、クオーツ、ジルコン、アウイン、ロードナイト、ラピスラズリ、ガラス、べっ甲のうちの１以上である請求項１〜６の何れかの項に記載の装飾品。
【請求項８】
前記第１装飾材・前記第２装飾材の少なくとも一方の平面部の少なくとも一部に、切子細工、カット加工、研磨加工、凹面加工、着色加工、コーティング、エンハンスメント、トリートメントのうちの１以上を含む装飾加工部を有する請求項１〜７の何れかの項に記載の装飾品。
【発明の詳細な説明】
【技術分野】
【０００１】
本発明は、真珠若しくは模造された人工真珠やその他の装飾材を組み合わせて形成された装飾品に関する。
【背景技術】
【０００２】
真珠を使用した装飾品については、従来、様々なデザイン、形状を有するものが提案されているが、本発明に関連するものとして、例えば、半球状の真珠や一部が欠切した真珠を使用して形成された装飾品がある（例えば、特許文献１〜３参照。）。
【０００３】
特許文献１に記載された装身具は、真珠を半球状に切断して、切断面を研磨した後、切断面を装身金具に収容して固定して形成されたものである。
【０００４】
特許文献２に記載された宝飾体は、円板状に形成された台座と、この台座上に貼り合わされた半球状の半円真珠とを具備したものであり、台座には、この台座を面方向に沿って外周面に貫通する二つの糸通し用の貫通路が形成されている。
【０００５】
特許文献３に記載された飾珠具は、欠切面を有する一対の真珠（スリークォーターパール）を、台座を介して、固定手段によって接合して形成されたものである。
【先行技術文献】
【特許文献】
【０００６】
【特許文献１】特開平６−１４１９１６号公報
【特許文献２】特開平１０−２１５９２５号公報
【特許文献３】特開平１１−３３２６２１号公報
【発明の概要】
【発明が解決しようとする課題】
【０００７】
特許文献１〜３に記載された装飾品（装身具、宝飾体、飾珠体）はそれぞれ特有の美観を有しているが、何れも真珠を主要部とするデザインであるため、装飾機能としては単調な面がある。
【０００８】
また、特許文献１〜３に記載された装飾品はそれぞれ独特の外観形状であるためアクセサリーとしての用途が限られがちである。
【０００９】
そこで、本発明が解決しようとする課題は、シンプルな形状で外観が良好であり、アクセサリーとしての汎用性に優れ、高い装飾機能を発揮する装飾品を提供することにある。
【課題を解決するための手段】
【００１０】
本発明に係る第一の装飾品は、半球状若しくは半多面体状の第１装飾材及び第２装飾材と、前記第１装飾材の平面部と前記第２装飾材の平面部とを対向させた状態で接合（若しくは連結）する接合手段（若しくは連結手段）と、を備えたことを特徴とする。
【００１１】
前記接合手段は限定しないので、接着剤、粘着剤あるいはその他の硬化性物質などを使用することができる。前記第１装飾材の平面部と、第２装飾材の平面部との間には、接合手段以外の他の物質を介在させずに直接的に接合したり、接合手段以外の他の物質を介在させて間接的に接合したりすることができる。前記連結手段も限定しないので、前記第１装飾材の平面部と、第２装飾材の平面部との間に任意の連結部材を設けることができる。
【００１２】
次に、本発明に係る第二の装飾品は、半球状若しくは半多面体状の第１装飾材及び第２装飾材と、前記第１装飾材の平面部と前記第２装飾材の平面部とを隙間を置いて対向させた状態で着脱可能に接合（若しくは連結）する接合手段（若しくは連結手段）と、を備えたことを特徴とする。
【００１３】
前記装飾品においては、前記第１装飾材の平面部と前記第２装飾材の平面部との間に、前記第１装飾材・前記第２装飾材の少なくとも一方と材質の異なる第３装飾材を介在させることもできる。
【００１４】
前記装飾品においては、前記第３装飾材を、金（Ａｕ）、金を含む合金（割り金によりイエロー、ピンク、ホワイト、グリーンの色調を示す金合金を含む）、銀（Ａｇ）、銀を含む合金（スターリングシルバー９２５その他のシルバー混合物を含む）、白金（Ｐｔ）、白金を含む合金、パラジウム（Ｐｄ）、パラジウムを含む合金、プラチナ族に属する白色金属のうちの１以上を含むものとすることができる。
【００１５】
前記装飾品においては、前記第１装飾材・前記第２装飾材の少なくとも一方を、真珠若しくは模造された人工真珠とすることができる。なお、前記第１装飾材及び前記第２装飾材の両方の材質が真珠若しくは模造された人工真珠である場合、互いに外観や質感の異なる真珠若しくは模造された人工真珠を用いることができる。
【００１６】
前記装飾品においては、前記真珠は、アコヤガイ、シロチョウガイ、クロチョウガイ、マベ、イケチョウガイ、アワビ、コンク貝、その他真珠質、稜柱質などの炭酸カルシウムを分泌する貝類から得られる真珠のうちの１以上とすることができる。
【００１７】
前記装飾品においては、前記第１装飾材・前記第２装飾材の少なくとも一方を、水晶、珊瑚、ルビー、サファイヤ、ガーネット、スピネル、アメジスト、エメラルド、アクアマリン、ダイヤモンド、ムーンストーン、ペリドット、オパール、トパーズ、トルコ石、ヒスイ、タンザナイト、カイアナイト、アレキサンドライト、キャッツアイ、クリソベリル、モルガナイト、ヘリオドール、レッドベリル、トルマリン、ツアボライト、アイオライト、クオーツ、ジルコン、アウイン、ロードナイト、ラピスラズリ、ガラス、べっ甲のうちの１以上とすることができる。なお、前記第１装飾材及び前記第２装飾材の両方の材質が同じである場合、互いに外観や質感の異なるものを用いることができる。
【００１８】
前記装飾品においては、前記第１装飾材・前記第２装飾材の少なくとも一方の平面部の少なくとも一部に、切子細工、カット加工、研磨加工、凹面加工、着色加工、コーティング、エンハンスメント、トリートメントのうちの１以上を含む装飾加工部を有するものとすることができる。
【発明の効果】
【００１９】
本発明により、シンプルな形状で外観が良好であり、アクセサリーとしての汎用性に優れ、高い装飾機能を発揮する装飾品を提供することができる。
【図面の簡単な説明】
【００２０】
【図１】本発明の実施形態である装飾品を示す斜視図である。
【図２】図１に示す装飾品の正面図である。
【図３】図１に示す装飾品の分解斜視図である。
【図４】本発明のその他の実施形態である装飾品を示す正面図である。
【図５】図４に示す装飾品の一部切欠分解図である。
【発明を実施するための形態】
【００２１】
以下、図１〜図５に基づいて、本発明の実施形態である装飾品１０，２０について説明する。
【００２２】
初めに、図１〜図３に基づいて装飾品１０について説明する。図１〜図３に示すように、装飾品１０は、第１装飾材である半球状の真珠１と、第１装飾材（真珠１）と材質の異なる第２装飾材である半球状の水晶２と、第２装飾材（水晶２）と材質の異なる第３装飾材である円板材３と、を備え、外形が全体的に円球状をなしている。真珠１と水晶２とは、それぞれの円形状の平面部１ａ，２ａ同士を対向させた状態に配置され、二つの平面部１ａ，２ａの間に１８金製の円板材３を挟持している。
【００２３】
真珠１の平面部１ａは研磨されたフラット面であるが、水晶２の平面部２ａには、装飾加工部として、切子細工とも称される、複数の溝部２ｂが放射状に形成されている。円板材３の表裏をなす円形の平面部３ａ，３ａはいずれも研磨されたフラット面である。平面部１ａ，２ａ，３ａ，３ａの直径は互いに同等である。
【００２４】
真珠１の平面部１ａと円板材３の平面部３ａとは接合手段の一つであるエポキシ系接着剤やその他の接着剤によって接合され、水晶２の平面部２ａと円板材３の平面部３ａとはエポキシ系接着剤やその他の接着剤によって接合されている。接合手段は限定しないので、接着剤のほかに、粘着剤あるいはその他の硬化性物質などを使用することができる。
【００２５】
図１，図２に示すように、装飾品１０は、外観が円球状をしたシンプルな形状であり、真珠１と水晶２という複数種類の装飾材を備えているため、外観が良好である。また、装飾品１０の外観は円球状であり、円板材３の外周あるいは真珠１や水晶２の表面１ｃ，２ｃなどに、リング、チェーン、フック、ピンなどを係止するための係止手段（図示せず）を設ければ、装飾品１０を衣服や身体の一部あるいはバッグなどの収納用具などに装着することができるので、アクセサリーとしての汎用性に優れ、高い装飾機能を発揮する。装飾品１０の外観は円球状であるが、これに限定しないので、長円球状、楕円球状などとすることもできる。
【００２６】
さらに、装飾品１０においては、真珠１の表面１ｃ及び水晶２の表面２ｃから特有の光沢や質感を発揮するだけでなく、水晶２の平面部２ａに放射状に設けられた複数の溝部２ｂが半球状の水晶２を透過して、その表面２ｃ側から目視可能に表れるため、従来にはない、優れた装飾機能を発揮する。
【００２７】
装飾品１０を構成する第１装飾材は天然の真珠１に限定しないので、天然の真珠１と外観、色調、質感などが類似する人工真珠（模造された全ての人工真珠を含む）などを使用することもできる。また、第２装飾材も水晶２に限定しないので、その他の装飾材（例えば、珊瑚、ルビー、サファイヤ、ガーネットなど）を使用することもできる。また、水晶２の平面部２ａの装飾加工部は放射状の溝部２ｂに限定しないので、その他の装飾加工を施すこともできる。
【００２８】
装飾品１０においては、半球状の真珠１の平面部１ａと半球状の水晶２の平面部２ａとを両者間に円板材３を介在させて間接的に接合しているが、これに限定するものではないので、半球状の真珠１の平面部１ａと半球状の水晶２の平面部２ａとを、接着剤、粘着剤あるいはその他の硬化性物質などを用いて、直接的に接合して円球状の装飾品（図示せず）を形成することもできる。また、装飾品１０は半球状の真珠１と半球状の水晶２とを備えているが、半球状の水晶２に代わりに、半多面体状の水晶を用いることもできる。
【００２９】
前述したように、装飾品１０は、第１装飾材である半球状の真珠１と、第１装飾材（真珠１）と材質の異なる第２装飾材である半球状の水晶２と、第２装飾材（水晶２）と材質の異なる第３装飾材である円板材３と、を備えているが、第１装飾材の材質（真珠）と第２装飾材の材質（水晶）の組み合わせはこれらに限定するものではないので、その他の材質の組み合わせとすることもできる。
【００３０】
例えば、第１装飾材及び第２装飾材の両方を真珠若しくは模造された人工真珠とすることも可能であり、前記真珠として、アコヤガイ、シロチョウガイ、クロチョウガイ、マベ、イケチョウガイ、アワビ、コンク貝、その他真珠質、稜柱質などの炭酸カルシウムを分泌する貝類から得られる真珠を用いることができる。この場合、第１装飾材である真珠（若しくは人工真珠）と第２装飾材である真珠（若しくは人工真珠）は、互いに外観や質感が異なるものを使用することができる。
【００３１】
また、第１装飾材の材質及び第２装飾材の材質を、それぞれ、水晶、珊瑚、ルビー、サファイヤ、ガーネット、スピネル、アメジスト、エメラルド、アクアマリン、ダイヤモンド、ムーンストーン、ペリドット、オパール、トパーズ、トルコ石、ヒスイ、タンザナイト、カイアナイト、アレキサンドライト、キャッツアイ、クリソベリル、モルガナイト、ヘリオドール、レッドベリル、トルマリン、ツアボライト、アイオライト、クオーツ、ジルコン、アウイン、ロードナイト、ラピスラズリ、ガラス、べっ甲のうちの１以上とすることもできる。なお、第１装飾材及び第２装飾材の両方の材質が同じである場合、互いに外観や質感の異なるものを用いることができる。
【００３２】
次に、図４，図５に基づいて装飾品２０について説明する。なお、図４，図５に示す装飾品２０の構成部分において、前述した装飾品１０の構成部分と共通する部分については図１〜図３中の符号と同符号を付して説明を省略する。
【００３３】
図４，図５に示すように、装飾品２０は、第１装飾材である半球状の真珠１と、真珠１と材質の異なる第２装飾材である半球状の水晶２とを、それぞれの平面部１ａ，２ａ同士を平行に対向させ、両者間に隙間Ｇを設けた状態で着脱機構２５を介して着脱可能に接合（連結）することによって形成されている。後述するように、装飾品２０は、人間の耳朶などの外耳部分に開けられた穴に装着して耳飾りとして使用するピアス（イヤリング）である。
【００３４】
図５に示すように、半球状の真珠１の平面部１ａには、中心に貫通孔２１ｂを有する円形皿状の台座２１が固着され、半球状の水晶２の平面部２ａには、中心に軸体２４が立設された円形皿状の台座２２が固着されている。水晶２の平面部２ａに固着された台座２２の軸体２４は、水晶２が固着された部分と１８０度反対方向に突出し、水晶２の平面部２ａと垂直をなすように立設されている。
【００３５】
真珠１の平面部１ａの中心には、台座２１の貫通孔２１ｂと同心をなす穴部１ｄが、半球面をなす真珠１の表面１ｃの頂上部１ｅに向かって開設されている。真珠１の穴部１ｄには、シリコンゴム製のキャッチ部材２３が取り付けられている。キャッチ部材２３は、穴部１ｄに挿入された円柱状の本体部２３ａと、台座２１の貫通孔２１ｂの内径より大きな外径を有するフランジ部２３ｂと、を備え、フランジ部２３ｂの中心から本体部２３ａに向かって穴部２３ｃが設けられている。
【００３６】
キャッチ部材２３の穴部２３ｃの内径は、台座２２の軸体２４の外径以下に設定されているため、軸体２４は穴部２３ｃに対して挿入離脱可能であり、キャッチ部材２３と軸体２４とによって着脱機構２５が形成されている。また、キャッチ部材２３はシリコンゴム製であるため、キャッチ部材２３の穴部２３ｃ内に挿入された軸体２４は穴部２３ｃの内周面との摩擦力により容易に離脱しないように保持される。
【００３７】
次に、図４，図５を参照しながら、装飾品２０の使い方などについて説明する。図４に示す装飾品２０は真珠１と水晶２とが接合した状態にあるが、この装飾品２０に対して、台座２１，２２が互いに離隔する方向の力を加えると、台座２１のキャッチ部材２３の穴部２３ｃから台座２２の軸体２４が離脱して、図５に示すように、真珠１と水晶２とが分離した状態となる。
【００３８】
この後、水晶２の台座２２の軸体２４を、人間の耳朶に開けられた穴（図示せず）に挿入することによって水晶２を耳朶に装着し、耳朶から突出する軸体２４の先端部２４ａを、真珠１の台座２１のキャッチ部材２３の穴部２３ｃに差し込むようにして真珠１を水晶２に押圧すると、真珠１と水晶２とが一体的に接合（連結）され、ピアス（イヤリング）が形成される。
【００３９】
装飾品２０を耳朶に装着したとき、耳朶の両面に表れる真珠１、水晶２の外観はそれぞれ半円球状をしたシンプルな形状であり、真珠１と水晶２という２面性の装飾材を備えているため、外観が良好である。装飾品２０においては、真珠１と水晶２とが着脱機構２５を介して互いに着脱可能に接合（連結）されているため、人間の耳朶などに開けられた穴に対して容易に装着、離脱させることができ、汎用性に優れ、高い装飾機能を発揮する。
【００４０】
さらに、図１〜図３に示す装飾品１０と同様、装飾品２０においても、真珠１の表面１ｃ及び水晶２の表面２ｃから特有の光沢や質感を発揮するだけでなく、水晶２の平面部２ａに放射状に設けられた複数の溝部２ｂが半球状の水晶２を透過して、その表面２ｃ側から目視可能に表れるため、従来にはない、優れた装飾機能を発揮する。
【００４１】
また、装飾品２０は、第１装飾材である半球状の真珠１と、第１装飾材（真珠１）と材質の異なる第２装飾材である半球状の水晶２と、を備えているが、第１装飾材の材質（真珠）と第２装飾材の材質（水晶）の組み合わせはこれらに限定するものではないので、その他の組み合わせとすることもできる。
【００４２】
例えば、第１装飾材及び第２装飾材の両方を真珠若しくは模造された人工真珠とすることも可能であり、前記真珠として、アコヤガイ、シロチョウガイ、クロチョウガイ、マベ、イケチョウガイ、アワビ、コンク貝、その他真珠質、稜柱質などの炭酸カルシウムを分泌する貝類から得られる真珠を用いることができる。この場合、第１装飾材である真珠（若しくは人工真珠）と第２装飾材である真珠（若しくは人工真珠）は、互いに外観や質感が異なるものを使用することができる。
【００４３】
また、第１装飾材の材質及び第２装飾材の材質を、それぞれ、水晶、珊瑚、ルビー、サファイヤ、ガーネット、スピネル、アメジスト、エメラルド、アクアマリン、ダイヤモンド、ムーンストーン、ペリドット、オパール、トパーズ、トルコ石、ヒスイ、タンザナイト、カイアナイト、アレキサンドライト、キャッツアイ、クリソベリル、モルガナイト、ヘリオドール、レッドベリル、トルマリン、ツアボライト、アイオライト、クオーツ、ジルコン、アウイン、ロードナイト、ラピスラズリ、ガラス、べっ甲のうちの１以上とすることもできる。なお、第１装飾材及び第２装飾材の両方の材質が同じである場合、互いに外観や質感の異なるものを用いることができる。
【００４４】
なお、図１〜図５に基づいて説明した装飾品１０，２０は本発明に係る装飾品を例示するものであり、本発明に係る装飾品は前述した装飾品１０，２０に限定されるものではない。
【産業上の利用可能性】
【００４５】
本発明の装飾品は、真珠加工業、宝石加工業あるいは装飾品製造業などの産業分野において広く利用することができる。
【符号の説明】
【００４６】
１  真珠（第１装飾材）
１ａ，２ａ，３ａ  平面部
１ｃ，２ｃ  表面
１ｄ，２３ｃ  穴部
１ｅ  頂上部
２  水晶（第２装飾材）
２ｂ  溝部
３  円板材（第３装飾材）
２１，２２  台座
２１ｂ  貫通孔
２３  キャッチ部材
２３ａ  本体部
２３ｂ  フランジ部
２４  軸体
２４ａ  先端部
２５  着脱機構
１０，２０  装飾品
Ｇ  隙間
【図１】
2019037743.tif 000003
【図２】
2019037743.tif 000004
【図３】
2019037743.tif 000005
【図４】
2019037743.tif 000006
【図５】
2019037743.tif 000007